(57)【要約】【課題】蓄電池の状態を確認しやすい照明装置を提供する。【解決手段】照明装置１０は、第一発光部３０と、第一発光部３０が取り付けられる主面を有し、周縁近傍に開口部４３を有する取付け板４０と、開口部４３が形成された位置に対応して主面４２と反対側に配置され、開口部４３に向けて光を発する第二発光部７１と、第一発光部３０に電力を供給する蓄電池６０と、を備え、第二発光部７１は、蓄電池６０の状態に応じて点灯状態が切り替わる。【選択図】図８
2018077994.tif 000002
【特許請求の範囲】
【請求項１】
第一発光部と、
前記第一発光部が取り付けられる主面を有し、周縁近傍に開口部を有する取付け板と、
前記開口部が形成された位置に対応して前記主面と反対側に配置され、前記開口部に向けて光を発する第二発光部と、
前記第一発光部に電力を供給する蓄電池と、を備え、
前記第二発光部は、前記蓄電池の状態に応じて点灯状態が切り替わる
照明装置。
【請求項２】
さらに、操作者から指示を取得する点検スイッチと、
前記点検スイッチが当該指示を取得した場合に、前記蓄電池の状態を点検し、前記蓄電池の状態に応じて前記第二発光部の点灯状態を切り替える制御部と、を備える
請求項１に記載の照明装置。
【請求項３】
前記点検スイッチは、光センサである
請求項２に記載の照明装置。
【請求項４】
前記第一発光部及び前記第二発光部が発する光の色は異なる
請求項１〜３のいずれか１項に記載の照明装置。
【請求項５】
さらに、
前記主面側を覆い、前記第一発光部及び前記第二発光部からの光を透過する、光拡散性を有する光透過部材を備え、
平面視した場合に、前記光透過部材の周縁部は、前記光透過部材の中央部に対して光拡散度合いが少ない
請求項１〜４のいずれか１項に記載の照明装置。
【請求項６】
さらに、前記第二発光部が発する光の配光を制御する光学部を備える
請求項１〜５のいずれか１項に記載の照明装置。
【請求項７】
前記光学部は、前記第二発光部が発する光を反射する反射性を有した樹脂材料によって筒状に形成される
請求項６に記載の照明装置。
【請求項８】
平面視した場合に、前記第一発光部は前記取付け板の略中央に配置され、
前記取付け板は、前記第一発光部から離れるにつれて開口面積が広がる漏斗形状である
請求項１〜７のいずれか１項に記載の照明装置。
【請求項９】
前記取付け板の周縁近傍は、前記第一発光部が発する光の光軸に対して略垂直方向に屈曲して形成される
請求項８に記載の照明装置。
【請求項１０】
前記取付け板の主面は、前記第一発光部が載置される載置面と、前記第一発光部が発する光を反射する、前記載置面の周囲に配置された反射面とを含む
請求項１〜９のいずれか一項に記載の照明装置。
【発明の詳細な説明】
【技術分野】
【０００１】
本発明は、照明装置に関する。
【背景技術】
【０００２】
近年、ＬＥＤ（Ｌｉｇｈｔ  Ｅｍｉｔｔｉｎｇ  Ｄｉｏｄｅ）照明装置が普及しつつある。例えば特許文献１には、バッテリ（蓄電池）と、当該バッテリを点検するための点検スイッチを備える照明装置が開示されている。
【先行技術文献】
【特許文献】
【０００３】
【特許文献１】特開平７−３２０５２４号公報
【発明の概要】
【発明が解決しようとする課題】
【０００４】
蓄電池が内蔵された例えば防災用（非常用）の照明装置は、定期的に蓄電池の状態を確認する必要がある。ここで、照明装置は比較的高所に設置される場合が多く、蓄電池の状態を確認する作業者が、照明装置が設置されている構造物から当該照明装置を取り外して照明装置の内部に設置された蓄電池の状態を確認することは困難である場合がある。
【０００５】
本発明は、蓄電池の状態を容易に確認できる照明装置を提供する。
【課題を解決するための手段】
【０００６】
本発明の一態様に係る照明装置は、第一発光部と、前記第一発光部が取り付けられる主面を有し、周縁近傍に開口部を有する取付け板と、前記開口部が形成された位置に対応して前記主面と反対側に配置され、前記開口部に向けて光を発する第二発光部と、前記第一発光部に電力を供給する蓄電池と、を備え、前記第二発光部は、前記蓄電池の状態に応じて点灯状態が切り替わる。
【発明の効果】
【０００７】
本発明によれば、蓄電池の状態を確認しやすい照明装置が実現される。
【図面の簡単な説明】
【０００８】
【図１】図１は、実施の形態に係る照明装置の下方から見た外観斜視図である。
【図２】図２は、実施の形態に係る照明装置の下方から見た分解斜視図である。
【図３】図３は、取付け板に取り付けられる構成要素を取付け板から取り外した図である。
【図４】図４は、実施の形態に係る照明装置の断面図である。
【図５】図５は、取付け板が本体に取付けられる際の、取付け板の動きを示す図である。
【図６】図６は、実施の形態に係る照明装置の透光カバーを取り外したときの内部下面図である。
【図７】図７は、実施の形態に係る照明装置の透光カバー及び取付け板を取り外したときの内部下面図である。
【図８】図８は、図６のＶＩＩＩ―ＶＩＩＩ線に沿って切断された断面図である。
【図９】図９は、図８の破線ＩＸに囲まれた領域を示す部分拡大図である。
【図１０】図１０は、実施の形態に係る照明装置が備える蓄電池の状態を点検する処理手順を示すフローチャートである。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は、模式図であり、必ずしも厳密に図示されたものではない。なお、各図において、実質的に同一の構成に対しては同一の符号を付しており、重複する説明は省略または簡略化される場合がある。
【００１１】
以下の実施の形態の図面においては、Ｙ軸方向は、例えば上下方向（鉛直方向）であり、Ｙ軸正方向側は、上側または天井側と記載される場合がある。また、Ｙ軸負方向側は、下側または光出射側と記載される場合がある。また、Ｘ軸方向及びＺ軸方向は、Ｙ軸に垂直な平面（水平面）上において、互いに直交する方向である。また、以下の実施の形態において、平面視とは、Ｙ軸方向から見ることを意味する。
【００１２】
（実施の形態）
まず、実施の形態に係る照明装置の構成について詳細に説明する。図１は、実施の形態に係る照明装置の下方から見た外観斜視図である。図２は、実施の形態に係る照明装置の下方から見た分解斜視図である。図３は、実施の形態に係る照明装置が備える取付け板に取り付けられる構成要素を取付け板から取り外した図である。図４は、実施の形態に係る照明装置の断面図である。図５は、取付け板が本体に取付けられる際の、取付け板の動きを示す図である。
【００１３】
図１〜図４に示されるように、照明装置１０は、本体２０と、第一発光部３０と、取付け板４０と、透光カバー５０と、蓄電池６０と、制御ユニット７０と、端子台８０と、を備える。
【００１４】
照明装置１０は、例えば、マンションの共用部などの半屋外空間で使用される、防災用（非常用）の照明装置である。照明装置１０は、具体的には、シーリングライトとして天井やブラケットライトとして壁面などの施工面に取り付けられる。本実施の形態においては、照明装置１０の平面視形状は、円形である。
【００１５】
本体２０は、天井又は壁面などの構造物の施工面に取り付けられる部材であり、言い換えれば、取付台である。本体２０は、例えば、アルミダイカスト等によって形成されるが、その他の金属、又は樹脂によって形成されてもよい。本体２０は、平面視形状が円形の平板状のベース部２１と、ベース部２１の周縁近傍の下側に立設した側壁部２２とを含む。
【００１６】
ベース部２１は、本体２０を構造物に取り付けるための取付構造（開口）が設けられている。ベース部２１は、平板状であり、後述する蓄電池６０等の照明装置１０の構成部材が載置される面とは反対側の面が、構造物の施工面に取り付けられる。なお、構造物の施工面と、上述した蓄電池６０等の照明装置１０の構成部材が載置される面とは、略平行となる。また、以下の実施の形態では、本体２０（照明装置１０）は、天井に取り付けられるものとして説明が行われる。ベース部２１には、脚部２３が２つ取り付けられる。
【００１７】
脚部２３は、ベース部２１の周縁近傍に配置され、一方の端部（下側の端部）は取付け板４０が有する接続部４１に接続され、他方の端部（上側の端部）は構造物の施工面に対して垂直な方向に立設された状態で接続される。言い換えれば、脚部２３は、取付け板４０を本体２０に取り付けるための部材である。２つの脚部２３は、ベース部２１の周縁近傍に対向して配置される。このように、取付け板４０が脚部２３によってベース部２１に接続される構造とすることで、第一発光部３０が発する熱は、取付け板４０、脚部２３、ベース部２１の順に伝わる。したがって、第一発光部３０がベース部２１に直接載置される構造よりも、第一発光部３０が発する熱がベース部２１に伝わりにくい効果が得られる。脚部２３は、コの字状（Ｕ字状、ブラケット状）に折り曲げられた板材である。脚部２３は、板ばね２４と、支持板２５とを備える。
【００１８】
板ばね２４は、取付け板４０を着脱可能に保持する、変形した際に元の形状に戻ろうとする復元力（ばね復元力）を有した弾性体である。具体的には、板ばね２４に形成された凸状の突起である係合部２４ａが取付け板４０の接続部４１に形成された開口（貫通孔）である被係合部４１ａに係合することにより、取付け板４０は板ばね２４に保持される。板ばね２４は、例えば、ステンレス鋼材等の金属材料によって形成される。
【００１９】
支持板２５は、板ばね２４を支持する板材であり、板ばね２４よりも剛性が高い金属材料で形成される。例えば、支持板２５は、板ばね２４よりも弾性率が高い金属材料で形成されることにより、高い剛性を有する。一具体例としては、支持板２５は、亜鉛めっきされた鋼板によって形成される。なお、支持板２５は、板ばね２４よりも剛性が高ければよく、板ばね２４と同一の材料を用いてもよい。その場合、板ばね２４及び／又は支持板２５の、形状、サイズなどを適宜調整すればよい。
【００２０】
また、支持板２５の一方の端部は、照明装置１０の内方に向かって直角に折れ曲がっている。支持板２５の一方の端部が折れ曲がることにより略水平になった部分である規制部２５ｂには、取付け板４０が載置される。つまり、規制部２５ｂは、照明装置１０の脚部２３（具体的には支持板２５）の一方の端部が折れ曲がって形成された部分である。脚部２３が規制部２５ｂを有することにより、作業者は、脚部２３に取付け板４０を取り付ける際に、取付け板４０を設置する位置を認識しやすい。また、照明装置１０が構造物の壁又は天井に取り付けられた際にも、規制部２５ｂによって取付け板４０の動きが規制される。具体的には、規制部２５ｂによって、取付け板４０の、構造物の施工面に対して垂直な方向で、且つ取付け板４０が本体２０から遠ざかる方向の動きが規制される。そのため、取付け板４０が本体２０に取り付けられている状態においては、取付け板４０は、規制部２５ｂに支持される。本実施の形態においては、取付け板４０が本体２０に取り付けられている状態において、取付け板４０は、規制部２５ｂに載置されている。規制部２５ｂに載置された取付け板４０は、板ばね２４によって本体２０に保持される。また、支持板２５の他方の端部は、照明装置１０の内方に向かって直角に折れ曲がっており、ベース部２１にネジ止めされる。
【００２１】
なお、支持板２５は、本体２０とは別体であるが、本体２０と一体形成されてもよい。この場合、支持板２５は、本体２０の一部としてアルミダイカストによって形成される。
【００２２】
本体２０のベース部２１には、蓄電池６０、制御ユニット７０及び端子台８０が載置される。
【００２３】
蓄電池６０は、第一発光部３０に電力を供給する電源である。蓄電池６０は、例えば、外部からの交流電力の供給が停止されたときに、非常用の電源として使用される。蓄電池６０は、例えば、ニッケル水素電池である。蓄電池６０は、充電及び放電が可能な電池であればよく、リチウムイオン電池又は鉛蓄電池等であってもよい。蓄電池６０は、蓄電池カバー６１によって下方から覆われる。蓄電池カバー６１は、例えば、アルミダイカストによって形成されるが、樹脂によって形成されてもよい。
【００２４】
制御ユニット７０は、照明装置１０の外部から供給される交流電力を直流電力に変換して第一発光部３０に供給する電源回路を備える電源回路ユニットである。制御ユニット７０の詳細については、後述する。
【００２５】
端子台８０は、外部交流電源と制御ユニット７０とを電気的に接続させるために電線が差し込まれる１又は複数の端子が配設された端子ユニットである。交流電力は、端子台８０に差し込まれた電線を介して外部交流電源から制御ユニット７０へ供給される。
【００２６】
第一発光部３０は、照明光を出射する照明装置１０の照明用光源として機能する。第一発光部３０は、具体的には、基板上に実装されたＬＥＤチップが、蛍光体を含有する透光性樹脂によって封止されたＣＯＢ（Ｃｈｉｐ  Ｏｎ  Ｂｏａｒｄ）型の発光モジュール３１を備える。第一発光部３０は、円形の発光領域を有する。本実施の形態においては、第一発光部３０は、さらに、配光を制御するためのレンズ３３、及び、第一発光部３０を取付け板４０にネジ止めするためのホルダ３２を備える。第一発光部３０は、例えば、白色光を主とした照明光を下方に向けて発する。つまり、第一発光部３０は、白色光を透光カバー５０に向けて発する。
【００２７】
また、第一発光部３０は、透光カバー５０が備える光透過部材５１と取付け板４０との間に配置される。また、平面視した場合に、第一発光部３０は取付け板４０下面の略中央に位置する載置面４２ａに配置される。第一発光部３０は、取付け板４０の載置面４２ａに載置され、載置面４２ａにねじ止めされる。なお、図示されないが、第一発光部３０は、蓄電池６０及び制御ユニット７０とリード線などによって電気的に接続される。
【００２８】
ところで、上述したように照明装置が備える光源の交換等のために、壁、天井等の構造物に固定される照明装置の本体と、照明装置が備える照明装置の構成部材とが着脱可能に取り付けられる場合がある。実施の形態に係る照明装置１０においては、照明装置１０は蓄電池６０を備える。蓄電池が内蔵された例えば防災用（非常用）の照明装置は、定期的に蓄電池の状態を確認する必要がある。この際に、蓄電池が、蓄電池に要求される能力を満たしていないことが確認された場合、蓄電池は交換される必要がある。そのために、照明装置１０においては、本体２０に取り付けられている蓄電池６０を交換しやすくするために、取付け板４０及び透光カバー５０は本体２０と着脱可能に取り付けられている。
【００２９】
取付け板４０は、第一発光部３０を保持し、本体２０に着脱可能に保持される取付け部材である。具体的には、取付け板４０は、施工面に対して平行な方向にスライド挿入されることにより、脚部２３の一方の端部に着脱可能に取り付けられる。また、取付け板４０は、ベース部２１に載置された蓄電池６０、制御ユニット７０及び端子台８０を覆うように本体２０に取り付けられる。言い換えると、蓄電池６０、制御ユニット７０及び端子台８０は、取付け板４０に覆われて本体２０に載置される。また、取付け板４０は、第一発光部３０の光軸方向（Ｙ軸方向）において、本体２０（具体的にはベース部２１）と透光カバー５０（具体的には透光カバー５０が備える光透過部材５１）との間に配置される。図４に示されるように、取付け板４０とベース部２１との間、及び、取付け板４０と光透過部材５１との間のそれぞれには、空隙（空気層）が配置される。つまり、取付け板４０は、本体２０及び光透過部材５１のいずれの部材とも直接接触しない。このように、第一発光部３０が取付け板４０の載置面４２ａに載置される構造によれば、第一発光部３０がベース部２１に載置される構造よりも、第一発光部３０が発する熱がベース部２１に伝わりにくい効果が得られる。
【００３０】
また、取付け板４０は、上方（ベース部２１側）に向かうほど縮径する略漏斗状である。言い換えると、取付け板４０は、第一発光部３０から離れるにつれて開口面積が広がる漏斗形状である。取付け板４０は、例えば、アルミニウムによって形成されるが、その他の金属又は樹脂によって形成されてもよい。
【００３１】
図３に示されるように、取付け板４０は、取付け板４０の主面４２（取付け板４０下面側）には、載置面４２ａ及び反射面４２ｂが含まれる。
【００３２】
載置面４２ａは、取付け板４０の略中心部に位置し、第一発光部３０が載置される主面４２の一部の平面である。載置面４２ａの平面視形状は、特に限定されるものではないが、本実施の形態においては円形である。第一発光部３０は、載置面４２ａに載置されることにより、光透過部材５１と取付け板４０との間に位置する。
【００３３】
なお、第一発光部３０と載置面４２ａとの間には、放熱シートなどの放熱部材が配置されてもよい。
【００３４】
また、取付け板４０のうち載置面４２ａの反対側の面、つまり、載置面４２ａと背向する面には、ヒートシンクが配置されてもよい。ヒートシンクによれば、第一発光部３０が発光中に発する熱を当該ヒートシンクに逃がすことができる。ヒートシンクは、例えば、アルミダイカストによって形成されるが、その他の金属によって形成されてもよい。
【００３５】
また、主面４２には、第一発光部３０が発する光を反射する反射面４２ｂが含まれるとよい。本実施の形態においては、取付け板４０は、第一発光部３０が出射する光を反射する反射板である。反射面４２ｂは、載置面４２ａの周囲を囲むように載置面４２ａと連続的に形成された面であり、第一発光部３０が発する光の一部を光透過部材５１に向けて反射する。反射面４２ｂは、径方向において一部が湾曲したテーパ面である。
【００３６】
取付け板４０の周縁部４４には、一対の接続部４１が対向して配置される。接続部４１は、脚部２３の端部に対応して本体２０に向かって直角に折れ曲がっている。このように、接続部４１が、脚部２３の端部に対応して折れ曲がっていることにより、取付け板４０の取り付け位置が脚部２３の端部であることを照明装置１０の設置作業者に認識させることができる。なお、取付け板４０の周縁部４４に配置される接続部４１の数は特に限定されるものではない。接続部４１には、被係合部４１ａが形成される。
【００３７】
被係合部４１ａは、板ばね２４に形成された係合部２４ａが係合する孔である。なお、被係合部４１ａは、係合部２４ａが係合すればよく、貫通孔ではなく、凹形状が形成されてもよい。また、被係合部４１ａと係合部２４ａとが係合すればよく、接続部４１に突起した形状の凸部が形成され、板ばね２４に板ばね２４を貫通する孔が形成されてもよい。
【００３８】
なお、取付け板４０には、取付け板４０が脚部２３に取り付けられる際に、係合部２４ａと被係合部４１ａとが適切に係合されるために取付け板４０の動きを制限する構造である係止部が設けられてもよい。具体的には、係止部は、脚部２３に取付け板４０が取り付けられる方向とは反対側（Ｘ軸負方向側）の接続部の端部が、脚部２３側（照明装置１０の外方）に折れ曲がって形成される。こうすることで、取付け板４０が脚部２３に取り付けられる際に、係止部が脚部２３に引っかかるため、取付け板４０は係合部２４ａと被係合部４１ａとが係合する適切な位置で取付け板４０の動きは規制される。
【００３９】
図４に示されるように、取付け板４０は、脚部２３の他方の端部に形成された規制部２５ｂに、取付け板４０が折れ曲がって形成された角部が沿うように、脚部２３に形成された規制部２５ｂの上方から載置される。載置された取付け板４０は、接続部４１に形成された取付け板４０を貫通する被係合部４１ａに、脚部２３が有する板ばね２４の一部が突出して形成された係合部２４ａが係合することによって保持される。
【００４０】
透光カバー５０は、照明装置１０の外郭筐体の一部を構成する、本体２０と着脱可能なカバー部材である。透光カバー５０は、光透過部材５１と、筒体５２とを備える。
【００４１】
光透過部材５１は、下方に向かって突出した略円形ドーム状の光学部材（グローブ）である。光透過部材５１は、例えば、白色又は乳白色であり、光拡散性（光散乱性）及び透光性を有する。
【００４２】
光透過部材５１は、筒体５２の下側の開口を塞ぐように筒体５２に取り付けられる。光透過部材５１は、具体的には、外側に向かって鍔状にせり出した光透過部材５１の縁が、カバー保持具（不図示）の下面と筒体５２の鍔状にせり出した部分の上面との間に挟み込まれることによって、筒体５２に取り付けられる。
【００４３】
光透過部材５１は、例えば、ガラスによって形成されるが、シリコーン樹脂、アクリル樹脂、又は、ポリカーボネート樹脂によって形成されてもよい。また、光透過部材５１は、表面にシルク印刷が行われることによって光拡散性を有してもよい。また、光透過部材５１は、シリカ又は炭酸カルシウムなどの光拡散材（微粒子）を含有することにより光拡散性を有してもよい。また、光透過部材５１の表面（内面又は外面）に光拡散材等を含む乳白色の光拡散膜を形成することで、光透過部材５１は光拡散性を有してもよい。また、光拡散材を用いるのではなくシボ加工処理等によって光透過部材５１の表面に微小凹凸を形成したり、光透過部材５１の表面にドットパターンを印刷したりすることで、光透過部材５１は光拡散性を有してもよい。また、上述した光拡散性を持たせる材料、形状等を組み合わせることで、光透過部材５１は光拡散性を有してもよい。
【００４４】
筒体５２は、第一発光部３０及び取付け板４０などを側方から囲む筒状筐体である。筒体５２は、円筒状である。筒体５２は、本体２０及び光透過部材５１とともに、照明装置１０の外郭筐体を構成する。筒体５２は、外郭筐体の側壁部分に相当する。なお、図４に示されるように、筒体５２は、脚部２３には接触しない。筒体５２と脚部２３との間には空隙（空気層）が配置される。
【００４５】
筒体５２は、上側の開口に本体２０が配置された状態で回動されることにより、本体２０に接続される。筒体５２は、例えば、アルミダイカストによって形成されるが、その他の金属、又は、樹脂によって形成されてもよい。
【００４６】
また、本体２０に透光カバー５０が取り付けられた場合に、照明装置１０は、第一発光部３０が出射する光の光軸方向の長さに対して、当該光軸方向に対して垂直な方向の長さの方が大きい扁平形状である。なお、本実施の形態においては、照明装置１０は、平面視において円形であるが、楕円形状又は多角形などでもよく、平面視形状は限定されない。照明装置１０の平面視形状が円形ではない場合は、照明装置１０は、第一発光部３０が出射する光の光軸に平行な方向の長さに対して、照明装置１０における最も長い垂直な方向の長さの方が大きい扁平形状であればよい。
【００４７】
なお、照明装置１０が防災用の照明装置として採用される場合、照明装置１０の外郭筐体を構成する本体２０及び透光カバー５０は、不燃性又は難燃性の材料で形成されるとよい。具体的には、上述したように、本体２０及び筒体５２はアルミダイカストによって形成され、光透過部材５１はガラスによって形成されるとよい。こうすることにより、火災が発生した際などに、照明装置１０が延焼によって発火することが抑制される。
【００４８】
図５に示されるように、取付け板４０は、本体２０の側方から取付け板４０がスライド挿入されることで、本体２０（具体的には脚部２３）に取り付けられる。具体的には、取付け板４０が本体２０へスライド挿入される方向（取り付けられる方向）は、構造物の施工面に対して平行な方向である。本実施の形態においては、構造物の施工面はＸＺ平面である。図５においては、取付け板４０はＸ軸正方向側へスライドされることで、脚部２３に取付けられる。
【００４９】
なお、ベース部２１に載置される蓄電池６０、制御ユニット７０及び端子台８０は、取付け板４０が本体２０にスライド挿入される際に取付け板４０と接触しない位置に載置されるとよい。具体的には、上述したように取付け板４０は略漏斗状であるため、載置面４２ａの上部ではなく、反射面４２ｂ又は取付け板４０の周縁部４４の上部に蓄電池６０、制御ユニット７０及び端子台８０が載置されるとよい。また、蓄電池６０、制御ユニット７０及び端子台８０は、取付け板４０がスライド挿入される側である本体２０のＸ軸負方向側ではなく、その反対側である本体２０のＸ軸正方向側に配置されるとよい。こうすることで、取付け板４０は、蓄電池６０、制御ユニット７０及び端子台８０に接触することなく、脚部２３に取付けられる。つまり、照明装置１０は小型化される。
【００５０】
また、図５に示されるように、取付け板４０は一対の接続部４１を有する。また、本体２０には、一対の脚部２３が立設される。ここで、一対の接続部４１と一対の脚部２３とはそれぞれが対応した位置に配置される。具体的には、脚部２３に取付け板４０がスライド挿入される際には、図５の一点鎖線の矢印の方向に取付け板４０はスライドされ、一方の接続部４１が一方の脚部２３に配置され、他方の接続部４１が他方の脚部２３に配置される。
【００５１】
次に、図６〜図９を用いて制御ユニット７０の詳細について説明する。
【００５２】
図６は、実施の形態に係る照明装置１０が備える透光カバー５０を取り外したときの内部下面図である。図７は、実施の形態に係る照明装置１０の透光カバー５０及び取付け板４０を取り外したときの内部下面図である。図８は、図６のＶＩＩＩ―ＶＩＩＩ線に沿って切断された照明装置１０の断面図である。図９は、図８の破線ＩＸに囲まれた領域を示す部分拡大図である。なお、図８は、図６とは異なり、照明装置１０が透光カバー５０を備えた状態における、図６のＶＩＩＩ―ＶＩＩＩ線に対応した位置に沿って切断された断面図である。
【００５３】
制御ユニット７０は、照明装置１０が備える光源などを制御する制御機構である。制御ユニット７０は、例えば、ベース部２１の下面に載置された状態でベース部２１にネジ止めされる。図６〜図９に示されるように、制御ユニット７０は、第二発光部７１と、光学部７２と、点検スイッチ７３と、制御部７４とを備える。
【００５４】
第二発光部７１は、蓄電池６０の状態に応じて点灯状態が切り替わる光源である。具体的には、第二発光部７１は、点灯（連続点灯）又は点滅することにより蓄電池６０が正常に機能しているかどうかを照明装置１０の操作者へ提示するモニタランプである。第二発光部７１は、例えば砲弾型ＬＥＤにより構成される。また、上述したように、照明装置１０は、第二発光部７１とは別に、照明装置１０の照明用光源として機能する第一発光部３０を備える。第一発光部３０が点灯中においても、第二発光部７１が光を発しているかどうかを確認しやすくするために、第一発光部３０及び第二発光部７１が発する光の色は異なるとよい。例えば、第一発光部３０は白色光を発し、第二発光部７１は緑色光を発してもよい。第二発光部７１は、取付け板４０の周縁近傍（周縁部４４）に形成された貫通孔である開口部４３が形成された位置に対応して取付け板４０の主面４２と反対側に配置される。
【００５５】
図８に示されるように、取付け板４０の周縁部４４は、テーパ面である反射面４２ｂが形成される取付け板４０の部分から連続的に折れ曲がって形成される。具体的には、周縁部４４は、取付け板４０の周縁近傍であり、第一発光部３０が発する光の光軸（Ｙ軸方向）に対して略垂直方向に屈曲して形成される。また、周縁部４４には、取付け板４０の主面４２側から主面４２と反対側の面までを貫通する貫通孔である開口部４３が形成される。開口部４３の上方には、制御ユニット７０が有する第二発光部７１が配置される。ここで、第二発光部７１は、開口部４３側へ向けて光を出射するように制御ユニット７０に配置される。そのため、取付け板４０を本体２０から取り外すことなく、第二発光部７１が発する光が、光透過部材５１を通過して照明装置１０の外側へ出射される。
【００５６】
光透過部材５１は、上述したように光拡散性（光散乱性）を備える。ここで、光透過部材５１は平面視した場合に、光透過部材５１の周縁部は光透過部材５１の中央部に対して光拡散度合いが少ないとよい。具体的には、図８に示されるように、光透過部材５１の、第二発光部７１が発する出射光Ｌが通過する光透過領域ＬＡの光拡散度合いが、光透過領域ＬＡ以外における光透過部材５１の中央側の領域での光拡散度合いよりも少ないとよい。
【００５７】
光透過部材５１は、第一発光部３０が出射する光を拡散（散乱）させるために光拡散性（光散乱性）を有するとよい。しかしながら、第二発光部７１の出射光Ｌは、その点灯状態さえ確認されればよいため、拡散されない方がよい。そのために、光透過部材５１は平面視した場合に、光透過部材５１の端部は光透過部材５１の中央部に対して光拡散度合いが少ないとよい。
【００５８】
例えば、光透過部材５１が光拡散性を有するために、光透過部材の内面には、光拡散材等を含む乳白色の光拡散膜が形成される。この場合に、光透過部材５１の周縁部に形成された光拡散膜の膜厚が、光透過部材５１の中央部に対して薄いとよい。又は、光透過部材５１の中央部にのみ光拡散膜が形成され、光透過部材５１の周縁部には光拡散膜が形成されなくてもよい。
【００５９】
光学部７２は、第二発光部７１が発する出射光Ｌの配光を制御する機能を有する光学部材である。図９に示されるように、光学部７２は、第二発光部７１から出射される出射光Ｌの一部を、開口部４３に向けて反射する。具体的には、光学部７２は、第二発光部７１が出射する出射光Ｌの広がりを抑制するように機能する。光学部７２は、例えば樹脂材料によって第二発光部７１の周囲を囲むように筒状に形成される。当該樹脂材料は、例えば酸化チタンなどの反射性（光反射性）の材料を添加したシリコーン樹脂などである。これにより、光学部７２は、第二発光部７１が出射する出射光Ｌを光透過部材５１側へ反射するようにも機能する。
【００６０】
なお、光学部７２は、出射光Ｌの広がりを抑制するために、例えばレンズ等でもよいし、レンズと上述した樹脂材料とを組み合わせてもよい。
【００６１】
点検スイッチ７３は、照明装置１０を利用する操作者からの指示を取得するスイッチである。具体的には、点検スイッチ７３が操作者からの指示を取得した場合に、制御部７４は蓄電池６０の状態を確認する処理を実行する。点検スイッチ７３は、例えば操作者が直接押圧するボタンでもよいが、ＰＤ（Ｐｈｏｔｏ  Ｄｉｏｄｅ）等の光センサであるとよい。つまり、点検スイッチ７３は、操作者が操作するリモートコントローラから発せられる赤外線などの信号を受信する光センサであるとよい。なお、点検スイッチ７３として、上述したボタン式のスイッチと、光センサとが照明装置１０に備えられていてもよい。
【００６２】
制御部７４は、第二発光部７１の点灯状態を制御する処理部である。制御部７４は、点検スイッチ７３が操作者から指示を取得した場合に、蓄電池６０が正常に機能しているかどうかの点検を行う。当該点検結果に応じて、制御部７４は、第二発光部７１を所定の点灯状態で発光させる。制御部７４が実行する蓄電池の状態を確認する処理手順の詳細については、後述する。
【００６３】
制御部７４は、例えば、制御プログラムが記憶されたメモリと、当該制御プログラムを実行するＣＰＵ（Ｃｅｎｔｒａｌ  Ｐｒｏｃｅｓｓｉｎｇ  Ｕｎｉｔ）等によって実現される。なお、制御部７４は、プロセッサがプログラムを実行することによってソフトウェア的に実現される必要はなく、ゲートアレイ等を用いた専用の電子回路によってハードウェア的に実現されてもよい。
【００６４】
また、制御部７４は、上述したように、電源回路を備える。具体的には、制御部７４は、基板に回路部品が実装されることにより形成された電源回路を備える。電源回路は、整流回路及びインバータ回路などを含む。
【００６５】
また、電源回路には、蓄電池６０を充電する充電回路が含まれる。充電回路は、照明装置１０の外部から供給される交流電力を蓄電池６０の充電に適した直流電力に変換し、直流電力によって蓄電池６０を充電する。本実施の形態では、照明装置１０においては、停電時などの非常時においても照明装置１０の使用が可能なように蓄電池６０はトリクル充電される。
【００６６】
また、電源回路には、外部からの交流電力の供給の停止（停電）を検出する検出回路、及び、蓄電池６０を放電する放電回路も含まれる。検出回路によって停電が検出されると、放電回路は、蓄電池６０を放電させる。この結果、蓄電池６０は、第一発光部３０に直流電力を供給する。これにより、照明装置１０は、停電時も発光を継続することができる。
【００６７】
次に、実施の形態に係る照明装置１０が備える蓄電池６０の状態を点検するための処理手順について説明する。図１０は、実施の形態に係る照明装置１０が備える蓄電池６０の状態を点検する処理手順を示すフローチャートである。具体的には、図１０は、点検スイッチ７３が操作者から指示を取得した場合に、制御部７４が、蓄電池６０が正常に機能しているかどうかを点検し、当該点検結果に応じて第二発光部７１を所定の態様で点灯する制御をするための処理手順を示すフローチャートである。
【００６８】
照明装置１０を利用している操作者は、蓄電池６０が正常に機能しているかどうかを点検する場合に、点検スイッチ７３へ指示を出す。具体的には、点検スイッチ７３が光センサである場合には、操作者は、所定のリモートコントローラを操作して、蓄電池６０を点検する指示を点検スイッチへ送信する。点検スイッチ７３は、当該指示を取得する（ステップＳ１０１）。
【００６９】
制御部７４は、当該指示を点検スイッチ７３が取得した場合に、蓄電池６０の状態を点検する。制御部７４は、まず蓄電池６０と第一発光部３０とが電気的に接続されているかを点検（判定）する（ステップＳ１０２）。具体的には、制御部７４は、外部から供給されていた電力を第一発光部３０へ供給することを中断し、蓄電池６０に蓄えられていた電力を第一発光部３０へ供給することで、第一発光部３０へ電力が供給できるかどうかを確認する。言い換えると、点検スイッチ７３が操作者から指示を取得した場合に、制御部７４は、停電時と同様に、蓄電池６０を放電させることにより第一発光部３０を発光させる。ここで、制御部７４が蓄電池６０と第一発光部３０とが電気的に接続されていないと判定した場合（ステップＳ１０２でＮｏ）に、制御部７４は、第二発光部７１を点滅して発光させる制御をする（ステップＳ１０６）。
【００７０】
次に、制御部７４は、蓄電池６０と第一発光部３０とが電気的に接続されていると判定した場合（ステップＳ１０２でＹｅｓ）に、蓄電池６０が充電されているかどうかを点検する（ステップＳ１０３）。照明装置１０が、例えば非常用の照明装置として使用され、非常用電源として蓄電池６０が使用される場合には、いつ停電が発生しても対応できるように、常に満充電に保っておく必要がある。このような場合においては、ステップＳ１０３において、蓄電池６０が満充電であるかどうかの確認を行う。ここで、制御部７４は、蓄電池６０が充電されていないと判定した場合（ステップＳ１０３でＮｏ）に、第二発光部７１を点滅して発光させる制御をする（ステップＳ１０６）。
【００７１】
次に、制御部７４は、蓄電池６０が充電されていると判定した場合（ステップＳ１０３でＹｅｓ）に、蓄電池６０の放電によって第一発光部３０を所定時間正常に点灯させ続けられるかどうかを点検する（ステップＳ１０４）。具体的には、制御部７４は、ＲＴＣ（Ｒｅａｌ  Ｔｉｍｅ  Ｃｌｏｃｋ）等の計時部（時計）を備え、当該計時部で蓄電池６０の放電による第一発光部３０の点灯時間を計測する。所定時間は特に限定されないが、例えば１０分間でもよいし、３０分間でもよいし、１時間でもよい。ここで、制御部７４は、蓄電池６０の放電によって第一発光部３０を所定時間正常に点灯させ続けられなかった場合（ステップＳ１０４でＮｏ）に、第二発光部７１を点滅して発光させる制御をする（ステップＳ１０６）。また、制御部７４は、蓄電池６０の放電によって第一発光部３０を所定時間正常に点灯させ続けられた場合（ステップＳ１０４でＹｅｓ）に、第二発光部７１を点灯させる制御をする（ステップＳ１０５）。ここで、点灯とは、第二発光部７１が連続的に発光されている状態を示す。
【００７２】
上述したように、第二発光部７１は、蓄電池６０の状態に応じて点灯状態が切り替わる。具体的には、制御部７４は、蓄電池６０の状態に応じて第二発光部７１の点灯状態を切り替える。これにより、照明装置１０の操作者は、第二発光部７１の点灯状態を確認することで、蓄電池６０が正常な状態であるか否かを確認できる。
【００７３】
なお、図１０に示す処理手順はあくまで一例であり、処理手順の順序などは変更されてもよい。また、ステップＳ１０２、ステップＳ１０３及びステップＳ１０４において、制御部７４がＮｏと判定した場合に、ステップＳ１０６において第二発光部７１を点滅させる制御をするが、各処理手順で同様の点滅状態とする必要はない。具体的には、ステップＳ１０２からステップＳ１０６へ移行した処理手順と、ステップＳ１０２からステップＳ１０６へ移行した処理手順と、ステップＳ１０２からステップＳ１０６へ移行した処理手順とで、第二発光部７１の点滅状態は異なってもよい。ここで、異なる点滅状態とは、例えば、第二発光部７１が点滅している状態における、点灯と消灯との周期、点灯時間の長さ、消灯時間の長さ等が異なる状態である。
【００７４】
また、制御部７４は、ステップＳ１０１において点検スイッチ７３が操作者から指示を取得した場合に、第二発光部７１を点灯する制御をしてもよい。こうすることにより、照明装置１０が操作者からの指示を取得した旨を操作者に提示することができる。この場合、ステップＳ１０２、ステップＳ１０３及びステップＳ１０４において制御部７４がＮｏと判定した場合、第二発光部７１を点灯状態から点滅状態へ発光状態を切り替える制御をしてもよい。
【００７５】
また、ステップＳ１０６において、制御部７４は第二発光部７１を点滅させる制御をするとしたが、操作者へ蓄電池６０に異常がある旨を提示できればよい。例えば、第二発光部７１は複数の色の光を発することができ、蓄電池６０が正常だと判定された場合と異常だと判定された場合とで発光色が変更されてもよい。
【００７６】
また、制御部７４は、操作者からの指示を点検スイッチ７３が取得した場合に、蓄電池６０の状態を点検するとしたが、当該点検を開始する条件は限定されない。例えば、制御部７４は計時部とメモリとを備え、当該メモリに定期的に図１０に示すステップを実行させる制御プログラムを予め記憶させておき、当該制御プログラムが制御部７４によって定期的に実行されてもよい。
【００７７】
（効果等）
以上説明したように、照明装置１０は、第一発光部３０と、第一発光部３０が取り付けられる主面４２を有し、周縁近傍に開口部４３を有する取付け板４０と、を備える。また、照明装置１０は、開口部４３が形成された位置に対応して主面４２と反対側に配置され、開口部４３に向けて光を発する第二発光部７１と、第一発光部３０に電力を供給する蓄電池６０と、を備える。第二発光部７１は、蓄電池６０の状態に応じて点灯状態が切り替わる。
【００７８】
これにより、照明装置１０の操作者は、照明装置１０が備える蓄電池６０が、例えば非常時においても正常に機能するかどうかを、照明装置１０が備える透光カバー５０等を取り外すことなく、第二発光部７１の点灯状態によって確認することができる。そのため、照明装置１０によれば、操作者は蓄電池６０の状態を確認しやすい。
【００７９】
また、照明装置１０は、操作者から指示を取得する点検スイッチ７３と、点検スイッチ７３が当該指示を取得した場合に、蓄電池６０の状態を点検し、蓄電池６０の状態に応じて第二発光部７１の点灯状態を切り替える制御部７４と、をさらに備えてもよい。
【００８０】
これにより、照明装置１０の操作者からの指示に応じて、蓄電池６０の状態が確認される。そのため、操作者は、所望のタイミングで照明装置１０が備える蓄電池６０の状態を確認できる。
【００８１】
また、点検スイッチ７３は、光センサでもよい。
【００８２】
つまり、照明装置１０の操作者は、所定のリモートコントローラを操作することにより、照明装置１０へ蓄電池６０の状態を点検させるように指示することができる。そのため、照明装置１０によれば、操作者は蓄電池６０の状態を確認しやすい。
【００８３】
また、第一発光部３０及び第二発光部７１が発する光の色は異なってもよい。
【００８４】
これにより、第一発光部３０を点灯させたままの状態においても、第二発光部７１が点灯しているかどうかを操作者は確認しやすい。
【００８５】
また、照明装置１０は、主面４２側を覆い、第一発光部３０及び第二発光部７１からの光を透過する、光拡散性を有する光透過部材５１をさらに備えてもよい。また、平面視した場合に、光透過部材５１の周縁部は、光透過部材５１の中央部に対して光拡散度合いが少なくてもよい。
【００８６】
これにより、第二発光部７１が発する出射光Ｌは光透過部材５１で拡散（散乱）されにくくなる。つまり、照明装置１０の操作者は、出射光Ｌの光量が少なくても、第二発光部７１が点灯しているかどうかを確認しやすい。
【００８７】
また、照明装置１０は、第二発光部７１が発する光の配光を制御する光学部７２をさらに備えてもよい。
【００８８】
具体的には、光学部７２は、第二発光部７１が出射する出射光Ｌの広がりを抑制するように機能する。これにより、照明装置１０の操作者は、第二発光部７１が点灯しているかどうかを確認しやすい。
【００８９】
また、光学部７２としては、第二発光部７１の出射光Ｌを反射する樹脂材料が採用されてもよい。さらに、当該樹脂材料は、第二発光部７１を囲むように筒状に形成されてもよい。
【００９０】
これにより、光学部７２は、出射光Ｌを光透過部材５１側へ導き易くなる。そのため、照明装置１０の内部での出射光Ｌの損失は、抑制される。
【００９１】
また、平面視した場合に、第一発光部３０は取付け板４０の略中央に配置されてもよい。また、取付け板４０は、第一発光部３０から離れるにつれて開口面積が広がる漏斗形状でもよい。
【００９２】
これにより、反射面４２ｂで反射される第一発光部３０から出射される光は、照明装置１０の外部へ効率よく導かれる。
【００９３】
また、取付け板４０の周縁近傍（周縁部４４）は、第一発光部３０が発する光の光軸に対して略垂直方向に屈曲して形成されてもよい。
【００９４】
これにより、第一発光部３０が発する光は、周縁部４４へ直接到達しにくくなる。つまり、周縁部４４は第一発光部３０が発する光を反射しないために、周縁部４４近傍の光透過部材５１、つまり光透過部材５１の外周側において第一発光部３０が発する光の光量は少なくなる。そのため、照明装置１０の操作者は、光透過部材５１の外周側に出射される出射光Ｌを確認しやすい。
【００９５】
また、取付け板４０の主面４２は、第一発光部３０が載置される載置面４２ａと、第一発光部３０が発する光を反射する、載置面４２ａの周囲に配置された反射面４２ｂとを含んでもよい。
【００９６】
これにより、第一発光部３０から出射される光は、効果よく照明装置１０の内部から照明装置１０の外部へ導かれる。そのため、照明装置１０の光利用効率は向上される。
【００９７】
（その他の実施の形態）
以上、実施の形態に係る照明装置について説明したが、本発明は、このような実施の形態に限定されるものではない。
【００９８】
上記実施の形態で説明された照明装置の形状は、一例である。例えば、上記実施の形態では、照明装置の平面視形状は、円形であったが、照明装置の平面視形状は、矩形などの多角形であってもよい。
【００９９】
また、上記実施の形態では、第一発光部として、ＣＯＢ型の発光モジュールが用いられたが、第一発光部の態様は特に限定されるものではない。例えば、ＳＭＤ型の発光モジュールが第一発光部として用いられてもよい。また、第一発光部には、ＬＥＤチップを用いた発光モジュールに代えて、蛍光管、メタルハライドランプ、ナトリウムランプ、ハロゲンランプ、キセノンランプ、または、ネオン管等が用いられてもよい。また、第一発光部には、無機エレクトロルミネッセンス、有機エレクトロルミネッセンス、ケミルミネッセンス（化学発光）、または、半導体レーザー等が用いられてもよい。なお、第二発光部においても、その態様は特に限定されるものではない。第一発光部と同様に、上述した各種光源が用いられてよい。
【０１００】
また、上記実施の形態では、点検スイッチとしてボタン又は光センサを例示したが、照明装置１０の操作者からの指示を取得できればよい。例えば、点検スイッチは、無線通信装置でもよく、当該無線通信装置によって操作者からの指示を取得してもよい。照明装置１０の操作者は、無線通信により、照明装置１０へ指示を送信する。無線通信は、例えば、Ｂｌｕｅｔｏｏｔｈ（登録商標）、Ｗｉ−Ｆｉ（登録商標）又はＺｉｇＢｅｅ（登録商標）などの所定の無線通信規格に基づいて行われればよい。
【０１０１】
以上、一つまたは複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１０２】
１０  照明装置
３０  第一発光部
４０  取付け板
４２  主面
４２ａ  載置面
４２ｂ  反射面
４３  開口部
４４  周縁部
５０  透光カバー
５１  光透過部材
６０  蓄電池
７１  第二発光部
７２  光学部
７３  点検スイッチ
７４  制御部
Ｌ  出射光
【図１】
2018077994.tif 000003
【図２】
2018077994.tif 000004
【図３】
2018077994.tif 000005
【図４】
2018077994.tif 000006
【図５】
2018077994.tif 000007
【図６】
2018077994.tif 000008
【図７】
2018077994.tif 000009
【図８】
2018077994.tif 000010
【図９】
2018077994.tif 000011
【図１０】
2018077994.tif 000012